(57)【要約】【課題】  デバイス装置からホスト装置に対するスリープモードから通常モードへ復帰通知をＵＳＢ接続線を用いて行うことができ、しかも、ホスト装置のスリープモード時においてはホスト装置がわの側のＵＳＢコントローラの電源供給も停止できるようにして節電効果の向上を図った画像処理装置を提供する。【解決手段】  デバイス装置２０がスリープモードで動作している状態において、公衆回線４０からのファクシミリ受信を着呼検出回路２３で検出すると、デバイスコントラーラ２３は、プルアップスイッチ２７をオンに制御し、ＵＳＢインタフェースのデータ線（Ｄ＋）３２を抵抗（プルアップ抵抗）２６を介してプルアップし、このＵＳＢインタフェースのデータ線（Ｄ＋）３２のプルアップは、ホスト装置１０側のデータ線（Ｄ＋）３２に外付けで接続された検出素子１５により検出され、これにより、ホスト装置１０は、スリープモードから通常モードへ復帰する。【選択図】  図１
2005196352.tif 000002
【特許請求の範囲】
【請求項１】
ホスト装置とデバイス装置とを有し、前記ホスト装置と前記デバイス置との間をＵＳＢを介して接続した画像処理装置において、
前記ホスト装置に対するスリープモードから通常モードへ復帰通知を前記ＵＳＢ接続線のプルアップにより行う復帰通知手段と、
前記ＵＳＢ接続線に対して外付けで設けられ、該ＵＳＢ接続線のプルアップ状態を検出する検出手段と、
前記検出手段の検出出力に基づき前記ホスト装置を前記スリープモードから前記通常モードへ復帰させる復帰制御手段と
を具備することを特徴とする画像処理装置。
【請求項２】
前記復帰通知に用いられるＵＳＢ接続線は、
ＵＳＢデータを伝送する信号線である
ことを特徴とする請求項１記載の画像処理装置。
【請求項３】
前記スリープモードにおいて、前記ホスト装置側に設けられたＵＳＢコントローラに対する電源の供給を停止する
ことを特徴とする請求項１または２記載の画像処理装置。
【請求項４】
前記検出手段は、
前記通常モードにおいて非動作に制御される
ことを特徴とする請求項１乃至３のいずれかに記載の画像処理装置。
【請求項５】
前記検出手段は、
前記通常モードにおいて選択的に供給される電源電圧がアウトプットイネーブル端子に入力された制御素子を含む
ことを特徴とする請求項４記載の画像処理装置。
【発明の詳細な説明】
【技術分野】
【０００１】
この発明は、ホスト装置とデバイス置とを有し、ホスト装置とデバイス装置との間をＵＳＢを介して接続した画像処理装置に関し、特にホスト装置に対するスリープモードから通常モードへ復帰通知をＵＳＢ接続線のプルアップにより行うようにした画像処理装置に関する。
【背景技術】
【０００２】
近年、１台のＯＡ機器に複数の機能を具備した複合機が普及し、ＯＡ機器の省スペース化および省電力化が図られている。
【０００３】
例えば、１台のＯＡ機器にコピー、電話、ファックス、プリンタおよびネットワーク機能等を搭載して複数の処理を行うことを可能にしたいわゆる複合機が知られている。
【０００４】
上記複合機においては、コピー、ファックス、プリンタ等のデバイス装置と、これら機能装置を管理するホスト装置とから構成されており、上記ホスト装置と各デバイス装置とはインタフェース装置を介して接続される。
【０００５】
そして、上記ホスト装置と各デバイス装置を接続するインタフェースとしては、最近、ＵＳＢ(Universal Serial Bus)インタフェースを使用する構成が提案されている。
【０００６】
さて、複合機は、１台で複数の複数のデバイス装置を稼動させることができる反面、常時複数のデバイス装置を稼動させることにより電力消費量も大きくなる。
【０００７】
そこで、一般的にホスト装置とデバイス装置とから成る複合機は、例えば使用者が一定期間、複合機のコピー、電話、ファックス、プリンタ等のデバイス置を使用しない時は、各デバイス装置およびホスト装置に最小限の電源を供給することにより電力消費量を小さくするスリープモードへ自動的に移行するような省電力機能を備えている。
【０００８】
スリープモード状態の時には、例えばファックス等のデバイス装置に外部からファックス通信の着信信号が入力すると、このデバイス装置およびホスト装置はスリープモードから通常モードへ自動的に移行するような構成が採用されている。
【０００９】
さて、外部からの信号によりスリープモードから通常モードへ自動的に移行する装置としては、従来、特許文献１に記載された節電機能を備えているモデム装置が知られている。この特許文献１に記載された節電機能を備えているモデム装置、スリープモード時に外部からリング信号が入ると、自動的にスリープモードからリジュームするように構成されている。
【特許文献１】特開平８−１３９８２６号公報
【発明の開示】
【発明が解決しようとする課題】
【００１０】
しかしながら、ホスト装置と各デバイス装置をＵＳＢ接続する構成において、ホスト装置がスリープモードに制御されているときに、デバイス装置からの通知によりこのホスト装置を通常モードに復帰させるためには、デバイス装置からホスト装置に復帰信号を送信する必要があり、このような構成に特許文献１の構成を採用するとこの復帰信号の送信のためにＵＳＢ接続とは別のインタフェースや信号線を設ける必要があった。そのため、他機種への流用や汎用性等の問題を有していた。
【００１１】
また、ＵＳＢインタフェースを用いてデバイス装置からホスト装置へストスリープモードから通常モードへの復帰通知を行う構成も提案されているが、この構成によると、ホスト装置側のＵＳＢコントローラには常に電源を供給しておく必要があり、これに有効な節電制御ができないという問題があった。
【００１２】
そこで、この発明は、デバイス装置からホスト装置に対するスリープモードから通常モードへ復帰通知をＵＳＢ接続線を用いて行うことができ、しかも、ホスト装置のスリープモード時においてはホスト装置がわの側のＵＳＢコントローラの電源供給も停止できるようにして節電効果の向上を図った画像処理装置を提供することを目的とする。
【課題を解決するための手段】
【００１３】
上記目的を達成するため、請求項１の発明は、ホスト装置とデバイス装置とを有し、前記ホスト装置と前記デバイス置との間をＵＳＢを介して接続した画像処理装置において、前記ホスト装置に対するスリープモードから通常モードへ復帰通知を前記ＵＳＢ接続線のプルアップにより行う復帰通知手段と、前記ＵＳＢ接続線に対して外付けで設けられ、該ＵＳＢ接続線のプルアップ状態を検出する検出手段と、前記検出手段の検出出力に基づき前記ホスト装置を前記スリープモードから前記通常モードへ復帰させる復帰制御手段とを具備することを特徴とする。
【００１４】
また、請求項２の発明は、請求項１の発明において、前記復帰通知に用いられるＵＳＢ接続線は、ＵＳＢデータを伝送する信号線であることを特徴とする。
【００１５】
また、請求項３の発明は、請求項１または２の発明において、前記スリープモードにおいて、前記ホスト装置側に設けられたＵＳＢコントローラに対する電源の供給を停止することを特徴とする。
【００１６】
また、請求項４の発明は、請求項１乃至３のいずれかの発明において、前記検出手段は、前記通常モードにおいて非動作に制御されることを特徴とする。
【００１７】
また、請求項５の発明は、請求項４の発明において、前記検出手段は、前記通常モードにおいて選択的に供給される電源電圧がアウトプットイネーブル端子に入力された制御素子を含むことを特徴とする。
【発明の効果】
【００１８】
この発明によれば、ホスト装置に対するスリープモードから通常モードへ復帰通知をホスト装置とデバイス置との間を接続するＵＳＢ接続線のプルアップにより行い、このＵＳＢ接続線のプルアップ状態をＵＳＢ接続線に対して外付けで設けられた検出手段で検出し、この検出手段の検出出力に基づきホスト装置をスリープモードから通常モードへ復帰させるように構成したので、デバイス装置からホスト装置に対するスリープモードから通常モードへ復帰通知をＵＳＢ接続線を用いて行うことができるとともに、ホスト装置のスリープモード時においてはホスト装置がわの側のＵＳＢコントローラの電源供給も停止できるので、これにより有効な節電効果の向上を図ることができるという効果を奏する。
【発明を実施するための最良の形態】
【００１９】
以下、この発明に係わる画像処理装置の実施例を添付図面を参照して詳細に説明する。
【００２０】
図１は、この発明に係わる画像処理装置の一実施例を示すブロック図である。
【００２１】
図１に示す画像処理装置は、ホスト装置１０とファクシミリ通信機能を有するデバイス装置２０とを具備して構成され、このホスト装置１０とデバイス装置２０とはＵＳＢインタフェースを介して接続されている。
【００２２】
ここで、ホスト装置１０は、ホスト側のＵＳＢインタフェースを構成するＵＳＢコントローラ１１およびＵＳＢコネクタ１２、ホスト装置１０の全体動作を統括制御するホストコントローラ１３、ホスト装置１０の各部に電源を供給するホスト側電源１４を具備して構成され、デバイス装置２０は、デバイス側のＵＳＢインタフェースを構成するＵＳＢコントローラ２１およびＵＳＢコネクタ２２、デバイス装置２０の全体動作を統括制御するデバイスコントローラ２３、デバイス装置２０の各部に電源を供給するデバイス側電源２４、ファクシミリ受信を検出する着呼検出回路２５を具備して構成される。
【００２３】
また、ホスト側のＵＳＢコネクタ１２とデバイス側のＵＳＢコネクタ２２との間は、電源線（ＶＢｕｓ）３１、データ線（Ｄ＋）３２、データ線（Ｄ−）３３、接地線（ＧＮＤ）３４を介して接続され、データ線（Ｄ＋）３２およびデータ線（Ｄ−）３３は、抵抗１７および１８を介してそれぞれ接地されている。
【００２４】
さて、上記実施例の画像処理装置において、デバイス装置２０およびメイン装置１０は、デバイス装置２０を用いたファクシミリ通信が行われていない状態において、必要最小限の装置に対してのみ電源を供給するスリープモードで動作し、省電力化を図るように構成されている。
【００２５】
すなわち、上記実施例の画像処理装置において、通常モードにおいては、ホスト装置１０の各部の装置は、ホスト側電源１４から電力の供給を受けて動作し、デバイス装置２０の各部の装置は、ＵＳＢインタフェースの電源線（ＶＢｕｓ）３１を介してホスト側電源１４から給電を受けるデバイス側電源２４から電力の供給を受けて動作する。
【００２６】
また、デバイス装置２０を用いたファクシミリ通信が行われていない状態においては、ホスト装置１０のホストコントローラ１３に対してのみ電力が供給され、デバイス装置２０においては、ファクシミリ受信を検出するためのデバイスコントラーラ２３および着呼検出回路２５に対してのみデバイス側電源２４から電源が供給されるスリープモードで動作する。
【００２７】
ホスト装置１０およびデバイス装置２０が上記のようにスリープモードで動作している状態で、公衆回線４０からのファクシミリ受信を着呼検出回路２３で検出すると、ホスト装置１０およびデバイス装置２０は、上記スリープモードから上記通常モードに復帰するが、このとき、ホスト装置１０は、デバイス装置２０からのスリープモードから通常モードへ復帰通知を受けて、上記スリープモードから上記通常モードに復帰する。
【００２８】
この実施例においては、上記デバイス装置２０からホスト装置１０への上記復帰通知をホスト装置１０とデバイス装置２０とを接続するＵＳＢインタフェースのデータ線（Ｄ＋）３２のプルアップにより行う。
【００２９】
すなわち、デバイス装置２０がスリープモードで動作している状態において、公衆回線４０からのファクシミリ受信を着呼検出回路２３で検出すると、デバイスコントラーラ２３は、プルアップスイッチ２７をオンに制御し、ＵＳＢインタフェースのデータ線（Ｄ＋）３２を抵抗（プルアップ抵抗）２６を介してプルアップする。
【００３０】
そして、このＵＳＢインタフェースのデータ線（Ｄ＋）３２のプルアップは、ホスト装置１０側のデータ線（Ｄ＋）３２に外付けで接続された検出素子１５により検出され、この検出素子１５の検出出力は、ホストコントローラ１３に割り込み信号として入力され、これにより、ホスト装置１０は、スリープモードから通常モードへ復帰する。
【００３１】
ここで、検出素子１５は、ホスト装置１０がスリープモードの状態においてもホスト側電源１４からの給電を受けて動作するもので、この検出素子１５としては、ＵＳＢインタフェースのデータ線（Ｄ＋）３２との間のバッファ機能を有するロジックＩＣ(Integrated Circut)を用いて構成することができる。
【００３２】
このような構成によると、ＵＳＢインタフェースのデータ線（Ｄ＋）３２のプルアップによりスリープモードから通常モードへの復帰通知を、デバイス装置２０からホスト装置１０へ行う構成を採用しながら、スリープモードにおいて、ホスト装置１０のＵＳＢコントローラ１１に対する電源の供給を停止することができる。
【００３３】
また、この検出素子１５は、アウトプットイネーブル端子１５ａアウトプットイネーブル端子１５ａを有し、ＵＳＢコントローラ１１への電源の供給がスイッチ１６のオフにより停止されているスリープモードにおいては、このアウトプットイネーブル端子１５ａにローレベルの信号が加わり、検出素子１５は動作状態となり、上記ＵＳＢインタフェースのデータ線（Ｄ＋）３２のプルアップを検出することができるが、ホストコントローラ１３の制御により、ホスト装置１０がスリープモードから通常モードへ復帰し、スイッチ１６がオンになると、検出素子１５のアウトプットイネーブル端子１５ａにはハイレベルの信号が加わり、これにより検出素子１５は、不動作状態となる。
【００３４】
これにより、ホスト装置１０が通常モードへ復帰した後は、ＵＳＢインタフェースのデータ線（Ｄ＋）３２の信号を検出素子１５が検出しないので、通常モードにおけるＵＳＢインタフェースのデータ線（Ｄ＋）３２を流れるデータ信号による不安定動作も生じない。
【００３５】
すなわち、通常モードにおけるＵＳＢインタフェースのデータ線（Ｄ＋）３２を流れるデータ信号は、高速信号であるため、不要電界放射によるノイズを発生する。そのため、検出素子１５として上記ロジックＩＣを用いた場合は、このロジックＩＣからノイズを発生する場合がある。そこで、この実施例においては、検出素子１５を構成するロジックＩＣとしてイネーブルコントロール端子（アウトプットイネーブル端子１５ａ）付きのものを用い、この検出素子１５をホスト装置１０がスリープ状態のときのみ動作させ、ホスト装置１０が通常モードに復帰した後は不動作にして、検出素子１５を構成するロジックＩＣからの不要なノイズの発生を防止するように構成されている。
【００３６】
また、上記検出素子１５の制御をスリープモード時にローベルとなるホスト側電源１４からの電圧信号を用いることで、特別な回路を設けることなく行うことが可能になり、これにより装置を安価に構成することができる。
【００３７】
図２は、上記図１の構成におけるデバイス装置２０のデバイスコントローラ２３の動作を示すフローチャートである。
【００３８】
図２において、デバイス装置２０のデバイスコントローラ２３は、デバイス装置２０がスリープ状態において、着呼検出回路２５の出力を監視し、公衆回線４０からファクシミリ着信を検出したかを調べる（ステップ２０１）。
【００３９】
ここで、ファクシミリ着信を検出していないと判断された場合は（ステップ２０１でＮＯ）、ステップ２０１へ戻り、ファクシミリ着信の検出を待つ。
【００４０】
ステップ２０１で、着呼検出回路２５の出力に基づきファクシミリ着信が検出されると（ステップ２０１でＹＥＳ）、デバイスコントローラ２３は、プルアップスイッチ２７をオンに制御し、ホスト装置１０に対するスリープモードから通常モードへ復帰通知を行う（ステップ２０２）。
【００４１】
その後、デバイスコントローラ２３は、デバイス装置２０をスリープモードから通常モードへ復帰させるスリープモード解除処理を行い（ステップ２０３）、この処理を終了する。
【００４２】
図３は、上記図１の構成におけるホスト装置１０のホストコントローラ１３の動作を示すフローチャートである。
【００４３】
図３において、ホスト装置１０のホストコントローラ１３は、ホスト装置１０がスリープ状態において、検出素子１５によるＵＳＢインタフェースのデータ線（Ｄ＋）３２のプルアップ検出に基づく検出素子１５からの割り込みを監視する（ステップ３０１）。
【００４４】
ここで、検出素子１５からの割り込みがない場合は（ステップ３０１でＮＯ）、ステップ３０１に戻り、検出素子１５からの割り込みを待つが、ステップ３０１で、検出素子１５からの割り込み信号があると（ステップ３０１でＹＥＳ）、デバイス装置２０からの通常モードへの復帰通知であると判断して、ホスト装置２０をスリープモードから通常モードへ復帰させるスリープモード解除処理を行い（ステップ３０２）、この処理を終了する。
【００４５】
このスリープモード解除処理において、図１に示したホスト側電源１４からＵＳＢコントローラ１１への電源の供給を制御するスイッチ１６は、オフからオンに制御される。
【００４６】
なお上記実施例においては、デバイス装置２０からホスト装置１０へのスリープモードから通常モードへの復帰通知を、ＵＳＢインタフェースのデータ線（Ｄ＋）３２のプルアップにより行うように構成したが、ＵＳＢインタフェースのデータ線（Ｄ＋）３２に代えてＵＳＢインタフェースのデータ線（Ｄ−）３３のプルアップにより上記通知を行うように構成してもよい。
【００４７】
図４は、この発明に係わる画像処理装置の他の実施例を示すブロック図である。
【００４８】
この実施例においては、デバイス装置２０からホスト装置１０へのスリープモードから通常モードへの復帰通知を、ＵＳＢインタフェースのデータ線（Ｄ−）３３のプルアップにより行うように構成されている。
【００４９】
すなわち、この実施例の画像処理装置においては、デバイス装置２０がスリープモードで動作している状態において、公衆回線４０からのファクシミリ受信を着呼検出回路２３で検出すると、デバイスコントラーラ２３は、プルアップスイッチ２７をオンに制御し、ＵＳＢインタフェースのデータ線（Ｄ−）３３を抵抗２６を介してプルアップする。
【００５０】
そして、このＵＳＢインタフェースのデータ線（Ｄ−）３３のプルアップは、ホスト装置１０側のデータ線（Ｄ−）３３に外付けで接続された検出素子１５により検出され、この検出素子１５の検出出力は、ホストコントローラ１３に割り込み信号として入力され、これにより、ホスト装置１０は、スリープモードから通常モードへ復帰する。
【００５１】
その他の構成は、図１に示した構成と同様である。
【００５２】
なお、図４においては、説明の便宜上図１に示した装置と同様の機能を果たす部分には図１で用いた符合と同じ符号を付してその詳細説明は省略する。
【００５３】
なお上記実施例においては、デバイス装置２０が、ファクシミリ通信機能を有する場合について示したが、省電力のためにスリープモードでの動作が有効な他の機能を有するデバイス装置を採用する場合にも同様に適用可能である。
【産業上の利用可能性】
【００５４】
この発明は、省電力のためにスリープモードでの動作が有効な例えばファクシミリ通信機能を有するデバイス装置とホスト装置とをＵＳＢインタフェースで接続した画像処理装置に利用できる。この発明によれば、ホスト装置に対するスリープモードから通常モードへ復帰通知をホスト装置とデバイス置との間を接続するＵＳＢ接続線のプルアップにより行い、このＵＳＢ接続線のプルアップ状態をＵＳＢ接続線に対して外付けで設けられた検出手段で検出し、この検出手段の検出出力に基づきホスト装置をスリープモードから通常モードへ復帰させるように構成したので、デバイス装置からホスト装置に対するスリープモードから通常モードへ復帰通知をＵＳＢ接続線を用いて行うことができるとともに、ホスト装置のスリープモード時においてはホスト装置側のＵＳＢコントローラの電源供給も停止できるので、これにより有効な節電効果の向上を図ることができる。
【図面の簡単な説明】
【００５５】
【図１】この発明に係わる画像処理装置の一実施例を示すブロック図である。
【図２】図１に示したデバイス装置２０のデバイスコントローラ２３の動作を示すフローチャートである。
【図３】図１に示したホスト装置１０のホストコントローラ１３の動作を示すフローチャートである。
【図４】この発明に係わる画像処理装置の他の実施例を示すブロック図である。
【符号の説明】
【００５６】
１０    ホスト装置１０
１１    ＵＳＢコントローラ
１２    ＵＳＢコネクタ
１３    ホストコントローラ
１４    ホスト側電源
１５    検出素子（ロジックＩＣ）
１５ａ    アウトプットイネーブル端子（イネーブルコントロール端子）
１６    スイッチ
１７    抵抗
１８    抵抗
２０    デバイス装置
２１    ＵＳＢコントローラ
２２    ＵＳＢコネクタ
２３    デバイスコントローラ
２４    デバイス側電源
２５    着呼検出回路
２６    抵抗（プルアップ抵抗）
２７    プルアップスイッチ
３１    電源線（ＶＢｕｓ）
３２    データ線（Ｄ＋）
３３    データ線（Ｄ−）
３４    接地線（ＧＮＤ）
４０    公衆回線
【図１】
2005196352.tif 000003
【図２】
2005196352.tif 000004
【図３】
2005196352.tif 000005
【図４】
2005196352.tif 000006